(57)【特許請求の範囲】
【請求項１】
プレイヤーのプロフィール情報の格納をするＲＦＩＤタグを内蔵した碁石と、各目毎に発光ダイオードとＲＦＩＤリーダ／ライタとが設けられた碁盤とを構成に含み、プレイヤーの指し手を管理する碁ゲームシステムであって、
前記碁盤は、
ａ）前記プロフィール情報を色情報に関連付けて登録をする登録手段と、
ｂ）前記ＲＦＩＤリーダ／ライタが前記ＲＦＩＤタグの検知をすると、該ＲＦＩＤタグが格納するプロフィール情報に関連付けられた色情報に従って、該検知に関わる目の発光ダイオードの発光を制御する指し手表示手段と、
ｃ）指し手確定済みの碁石に係るＲＦＩＤタグの検知の消失もしくは新たな検知を無効とし、前記発光を維持する表示維持手段と、
ｄ）未着手の目に関わる発光ダイオードを所定の色での発光を制御する未着手表示手段と、
ｅ）前記指し手の記録をする記録手段と、
ｆ）前記記録を基に棋譜を生成する生成手段と、
ｇ）オンラインでゲーム参加するプレイヤーの指し手入力を受信し、該指し手入力に係る目の発光ダイオードに対して、該プレイヤーに関連付けした色での発光をするように制御する代理表示手段と、
を備え、
前記碁石は、
前記碁盤と互換性のある碁盤に指されると、該碁盤のＲＦＩＤリーダに前記ＲＦＩＤタグから前記プロフィール情報を送信し、前記プレイヤーのプロフィール情報の登録を要求するログイン手段を備えることを特徴とするシステム。
【発明の詳細な説明】
【技術分野】
【０００１】
本発明は、碁ゲームシステムに関し、特にRFID技術を利用して、碁のゲーム進行を管理支援するシステムに関する。
【背景技術】
【０００２】
伝統的なボードゲームの一つである碁を電子化し、画像表示されたボードに対してマウス等のポインティングデバイスよるアクションを行うことでゲームを進行するシステムが実現されている。ゲームの電子化によりゲーム進行の記録、ゲームの再現、棋譜の自動生成、あるいは遠隔にいる者同士のオンライン対戦が可能となるといったメリットがある。
【０００３】
しかしながら、画像表示されたボードに対してアクションを行うことに違和感を感じる保守的なプレイヤーにとっては、電子化されたゲームを遊ぶことが煩雑になってしまうという問題がある。
一方、伝統的な道具（碁盤、碁石）を使うリアルなゲームにおいては、電子化された碁で享受できる上記メリットを得られない。すなわち、リアルなゲームの記録・再現、棋譜の生成、遠隔にいる者同士の対戦が困難であるといった問題である。
【先行技術文献】
【特許文献】
【０００４】
特許文献１には、伝統的な道具に電子的機構を組み込むことにより、電子化のメリットとリアルなゲームの味わいとを同時に実現するシステムが、記載されている。すなわち、使用者が対局するディスプレーシートと； ディスプレーシートに置かれた碁石の着手位置を認識し， 電気信号を送出する位置感知パネルと； ディスプレーシート及び位置感知パネルの間に介在し， 碁盤の目に穴が開いた接着テープと； 異なる２ 色を発光する複数の発光ダイオードが碁盤の目に取り付けられて， 使用者の着手位置及び相手の応手位置を表示する位置表示パネルと； 位置感知パネルによって認識された使用者の着手位置情報， 外部から入力された相手の応手の位置情報， または， 記憶されているデータを位置表示パネルに取り付けられた発光ダイオードで２ 色に区分点灯できるようにプログラムされた中央処理装置と； 中央処理装置によって加工された信号を外部に伝送すると共に， 外部から入力された信号を中央処理装置に伝送するための入出力手段と； 使用者の操作による入力情報を中央処理装置に伝送すると共に，中央処理装置から伝送されたデータを表示ウィンドーに表示するようにプログラムされたマイクロプロセッサーと； 起動スイッチ， 操作スイッチ， 進行状態を表示する表示ウィンドーが備えられたコントローラと； を含むことを特徴とするシステムを提供するものである。
しかしながら、事故により碁石が動いた場合に、事故による動きとゲーム動作による動きとを区別できないため、ゲームの再開が困難になる問題がある。さらには、予め対局する者を予め選択等の設定をしないと、碁石を指されてもプレイヤーが誰なのかについての情報をシステムが認識することができないという課題もある。
【特許文献１】特開２００４−２４６８７号公報
【発明の概要】
【発明が解決しようとする課題】
【０００５】
本発明の課題は、外観や手触りは、伝統的な碁の道具（碁盤、碁石）を使用して、リアルな碁石の指し手によるゲーム進行を残しつつ、ゲーム進行を電子的に認識して、ゲームの記録、再現の支援をし、リアルな指し手からプレイヤーの属性等のプロフィールを取得し、視覚化等の利用ができるシステムを提供することが課題となる。
【課題を解決するための手段】
【０００６】
本発明によれば、
プレイヤーのプロフィール情報の格納をするＲＦＩＤタグを内蔵した碁石と、各目毎に発光ダイオードとＲＦＩＤリーダ／ライタとが設けられた碁盤とを構成に含み、プレイヤーの指し手を管理する碁ゲームシステムであって、
前記碁盤は、
ａ）前記プロフィール情報を色情報に関連付けて登録をする登録手段と、
ｂ）前記ＲＦＩＤリーダ／ライタが前記ＲＦＩＤタグの検知をすると、該ＲＦＩＤタグが格納するプロフィール情報に関連付けられた色情報に従って、該検知に関わる目の発光ダイオードの発光を制御する指し手表示手段と、
ｃ）指し手確定済みの碁石に係るＲＦＩＤタグの検知の消失もしくは新たな検知を無効とし、前記発光を維持する表示維持手段と、
ｄ）未着手の目に関わる発光ダイオードを所定の色での発光を制御する未着手表示手段と、
ｅ）前記指し手の記録をする記録手段と、
ｆ）前記記録を基に棋譜を生成する生成手段と、
ｇ）オンラインでゲーム参加するプレイヤーの指し手入力を受信し、該指し手入力に係る目の発光ダイオードに対して、該プレイヤーに関連付けした色での発光をするように制御する代理表示手段と、
を備え、
前記碁石は、
前記碁盤と互換性のある碁盤に指されると、該碁盤のＲＦＩＤリーダに前記ＲＦＩＤタグから前記プロフィール情報を送信し、前記プレイヤーのプロフィール情報の登録を要求するログイン手段を備えることを特徴とするシステムが提供される。
ここでRFIDは、Radio Frequency IDentificationの略である。RFIDは、電波（電磁波）を用いて、RFタグのデータを非接触で読み書きするものを指す用語である。RFタグは、電波（電磁波）を用いて、格納情報（内蔵したメモリに格納したデータ）を非接触で読み書きする情報媒体を指す。
【図面の簡単な説明】
【０００７】
【図１】図１は、本発明の実施例により実現される碁ゲームの全体を示したイメージ図である。
【図２】図２は、本実施例のシステムに係る碁盤の構成図である。
【図３】図３は、ディスプレイシートの目を上から俯瞰して観た拡大平面図である。
【図４】図４は、本実施例の碁石の構成を示した構成図である。
【図５】図５は、本実施例の碁石の機能構成を示したブロック図である
【図６】図６は、RFIDタグのプロフィール情報格納部に格納されるプロフィール情報のデータ構造を示したブロック図である。
【図７】図７は、本実施例のシステムの機能構成を示したブロック図である。
【図８】図８は、指し手指示情報のデータ構造を示したブロック図である。
【図９】図９は、本実施例のシステムの動作モードの設定を示したフローチャートである。
【図１０】図１０は、リアル対局モードにおけるシステムの動作を示したフローチャートである。
【図１１】図１１は、オンライン対局モードにおけるシステムの動作を示したフローチャートである。
【図１２】図１２は、棋譜再生モード９００４におけるシステムの動作を示したフローチャートである。
【発明を実施するための形態】
【０００８】
以下、本発明を実施するための形態につき図面を用いて説明する。
ここで示す各機能構成部は、予め組み込まれたファームウエア等の制御プログラムを所定の中央処理装置や回路のプロセッサーで実行し、実装された各種デバイスと協働することにより実現される。また、これらのプログラムは、コンピュータで読み取り可能な記録媒体に記録され、当該プロセッサーによって記録媒体から読み出され、ユーザが操作すること又はシステムを構成するデバイスからの信号を受信することをトリガに実行される。
【実施例１】
【０００９】
図１は、本発明の実施例により実現される碁ゲームの全体を示したイメージ図である。
碁盤１００１を挟んで、第１のリアルプレイヤー１００２と第２のリアルプレイヤー１００３が対局している。ここで碁盤１００１は、ネットワーク１００４を介してオンラインプレイヤー１００５が対局可能に構成されている。オンラインプレイヤーは、通信端末１００６のよる通信接続を介して指し手指示情報を送信することにより対局する。
第１のリアルプレイヤーは、自らのプロフィール情報を書き込んだRFIDタグ内蔵の碁石１００７を用いて指し手を打つ。第２のリアルプレイヤーも、自らのプロフィール情報を書き込んだRFIDタグ内蔵の碁石１００８を用いて指し手を打つ。
１００９は、碁盤の入出力パネルであり、液晶画面１０１０、スピーカー１０１１及び選択レバーとボタンとからなる入力デバイス１０１２から構成される。
ここで入力デバイスとして選択レバーとボタンが採用されているが、本発明に係る入力デバイスは、これに限定されるものではなく、キーボード、マウス、タッチパネル等が適宜採用されうる。
また、１５路盤の碁盤が採用されているが、本発明の碁盤は、これに限定されるものではなく、１９路盤、１３路盤、９路盤等適宜採用されうる。
【００１０】
図２は、本実施例のシステムに係る碁盤の構成図である。プレイヤーが対局において碁石を打てる目２００１を備えた盤面ディスプレーシート２００２、ディスプレーシートの目の位置毎に対応させて設けられたLED２００３が配置された表示パネル２００４、各目の位置に毎にRFIDリーダ／ライタ２００５が配置された感知パネル２００６、中央処理装置２００７、記憶装置２００８、入出力装置２００９、通信装置という構成である。ここで上記LED及びRFIDリーダ／ライタは、それぞれと配線により、中央処理装置２００７と電気的に接続されている。また、目２００１は、盤面を構成する複数の目の一つを代表として示したものであって、１９路盤、１５路盤、１３路盤、９路盤等、盤面の種類に応じた数から構成される。さらに、LEDという用語は、light emitting diodeの略で、発光ダイオードを示す。
【００１１】
図３は、ディスプレイシート２００２の目２００１を上から俯瞰して観た拡大平面図である。目周囲３００１において、目の部位３００２は透光性の部材から構成されており、盤面上から見て重なり合う位置に配置されたLED２００３の光で発色点灯する。
【００１２】
図２の説明に戻る。LED２００３は、複数色に点灯するものが採用されており、対局する各プレイヤーの指し手及び無着手を区別する色で発色するように、中央処理装置２００７によって、制御される。RFIDリーダ／ライタ２００５は、それぞれが対応する目に置かれた碁石に内蔵されたRFIDタグだけを検知するように、読取範囲が設定されている。この内蔵RFIDタグからRFIDリーダ／ライタ２００５が読み取ったデータは、中央処理装置２００７に送信される。  中央処理装置２００７は、入出力装置２００９、RFIDリーダ／ライタ２００５等からの信号入力を受けて、所定の演算処理を行い、記憶装置、LED、入出力装置、RFIDリーダ／ライタ、読取範囲に存在するRFIDタグ等に所定の動作を指示する信号を出力する。  記憶装置２００８は、対局するプレイヤーのプロフィール情報を記憶する。入出力装置２００９は、対局に係るプレイヤー等のプロフィール情報を表示したり、入力を促す入力画面等を表示し、リアルプレイヤーが碁ゲームを開始や碁盤１００１に棋譜を再現するための設定入力をする支援を行う。また、スピーカー１０１１より、オンラインプレイヤーの指し手が入力されたタイミングで碁石を指す擬音を出力することにより、リアルな対局の状況をシミュレートする。さらには、リアルプレイヤーが碁石を指す代わりに、  通信装置２０１０は、ネットワーク接続機能を備えており、ネットワーク接続したオンラインプレイヤーの通信端末と接続し、オンラインプレイヤーのログインを受け付け、リアルプレイヤーとの対局を実現する。
【００１３】
図４は、本実施例の碁石の構成を示した構成図である。外装部材４００１と、内蔵されたRFIDタグ４００２とから構成されている。ここで外装部材には、透光性を有する強化ガラスが採用されており、着手済みの目に対応するLEDが点灯したとき、LEDの発光色に発色するように設けられている。RFIDタグは、直径７ｍｍ以下の円型RFIDタグが採用されている。本発明のRFIDタグは、ここで示した円型RFIDタグに限定されるものではない。直径７ｍｍの円内に納まるサイズであって、標準的な碁石が内蔵可能となRFIDタグであれば、適宜変更されうる。
【００１４】
図５は、本実施例の碁石の機能構成を示したブロック図である。ユーザのプロフィール情報を格納するプロフィール情報格納部５００１、ログイン要求コマンドを格納するコマンド格納部５００２、短距離無線制御部５００３という機能構成部から構成される。
登録要求コマンド格納部には、プロフィール情報を登録するように要求するコマンドが格納されており、本実施例のシステムに互換性のある碁盤のRFIDリーダ／ライタに検知されたとき、プロフィール情報を登録するように要求する命令信号が送信される。この命令信号に従って、互換性のある碁盤にプロフィール情報が登録され、このプロフィールに係るプレイヤーのログインが完了する。
【００１５】
図６は、RFIDタグ４００２のプロフィール情報格納部５００１に格納されるプロィール情報のデータ構造を示したブロック図である。ＲＦＩＤタグの識別子でもある碁石識別子６００１、プレイヤー識別子６００２、碁盤の入出力装置やオンラインユーザの通信端末に表示するプレイヤーの名前である表示名６００３、所定の碁協会におけるランクを示す協会ランク６００４、碁ゲームにおける勝敗の記録である勝敗記録６００５、プレイヤーの所在を示す居所６００６、対局相手等に伝えるメッセージであるキャッチフレーズ６００７という構成である。本発明で採用可能なプロフィール情報は、ここで示したプロフィール情報に限定されるものではない、対局の性質や便宜等のため適宜変更されうる。
【００１６】
図７は、本実施例のシステムの機能構成を示したブロック図である。  モード選択部７００１は、本実施例のシステムを利用するに当たって、プレイヤー等による入出力装置１０１１の操作による入力を受けて、動作モードの選択が行われる。モードは、リアル対局モード、オンライン対局モード、棋譜再現モードの３つであるログイン部７００２では、対局に係るプレイヤーの認証及び登録が行われる。ここで、リアルプレイヤーの場合は、自らのプロフィールが書き込まれた碁石を碁盤の目に置くことにより行われる。その目に対応するRFIDリーダ／ライタによって読取られたプロィール情報と記憶装置２００８に記憶されたプロフィール情報との照合が行われ、登録ユーザは対局を行うことができる。プロフィールが登録されていないプレイヤーの場合、碁石が置かれると、碁石に格納されたプロフィール情報が記憶装置２００８に登録され、プレイヤーとして認証され、対局に参加を行うことができる。記憶部７００３は、対局に係るプレイヤーのプロフィール情報、対局の指し手等を記憶装置２００８に記憶する動作を実行する。指し手表示部７００４は、指された目のRFIDリーダ／ライタ２００５が検知したRFIDタグ４００２から読み取ったプロフィール情報とその位置により、当該プレイヤーに関連付けた色に、指された目のLED２００３を点灯させる。ここでプレイヤーへの色の関連付けは、ゲームのスタートにおいて、先に置かれた碁石に書き込まれたプロフィール情報と青色とを関連付けし、後に置かれた碁石のプロフィール情報と白色とを関連付けする。尚、本発明のプロフィール情報と色との関連付けは、これに限定されるものではない。プレイヤーが自らの入出力装置２００９の操作により、自らのプロフィール情報と色と関連付けを設定する方式などが適宜採用されうる。
【００１７】
代理表示部７００５は、オンラインプレイヤーの通信端末１００６から送信された指し手指示情報を受信して、指し手指示情報に含まれる目の位置において、当該オンラインプレイヤーに関連付けした色に、指し手指示の目のLED２００３を点灯させる。図８は、指し手指示情報のデータ構造を示したブロック図である。オンラインプレイヤーを認証し、識別するためのプレイヤー識別子８００１と指し手位置を示す座標８００２という構造である。
【００１８】
表示維持部７００６は、予め設定したプレイヤーの指し手の確定条件が満たされると、当該指し手に係るRFIDタグの検知を無効化し、LEDの点灯を固定する。ここで指し手確定の条件として、相手プレイヤーの碁石のRFIDタグの検知が次の指し手の着手、又は、指し手に係るRFIDタグ検知後の時間経過（ここでは３秒以上とする）とする。尚、本発明に係る指し手確定の条件はこれに限定されるものではなく、適宜変更されうる。このように構成することにより、ゲーム途中において事故的に碁石が動いてしまっても、指し手表示が動かないので、事故で動いてしまった碁石を元に戻してゲームを続行することが容易になる。
【００１９】
未着手表示部７００７は、指されていない未着手の目について、予め設定した未着手色に点灯させる。ここでは、未着手色としてブラウンを採用する。尚、未着手色の設定は、対局するプレイヤーに関連付ける色等の対局状況に応じて、適宜変更されうる。
ここで、ゲーム開始に先立って、未着手色で点灯する領域を変えることにより、碁盤のゲームサイズを可変とする構成を採用する。未指しに関連付けした色の表示領域を変えることにより、15路盤、13路盤、9路盤のいずれかに変更して、プレイヤーは対局することが可能となる。
【００２０】
生成部７００８は、プレイヤーの指し手を記録し、棋譜データを生成する。ここで棋譜データは、所定の印刷もしくは表示フォーマットによって、紙にプリント又は画面表示され、可視化される。登録部７００９は、碁盤の目に置かれた碁石にプロフィール情報を記録する。プロフィール情報は、入出力装置１００９による入力やオンラインプレイヤーの通信端末からのデータ送信によって取得される。再現部７０１０は、記憶装置２００８に記録された棋譜データを碁盤１００１のLEDをゲーム進行の順番に点灯させることにより、棋譜をリアルに再現する。
【００２１】
図９は、本実施例のシステムの動作モードの設定を示したフローチャートである。
モード選択ステップ９００１において、プレイヤー等によるモード選択操作の入力を受けて、リアル対局モード９００２、オンライン対局モード９００３、棋譜再現モード９００４が選択的に開始される。
【００２２】
（リアルプレイヤー同士の対局）
図１０は、リアル対局モード９００２におけるシステムの動作を示したフローチャートである。
プレイヤーログインステップ１０００１において、まず先手プレイヤーによって、碁石が目に置かれる。碁石内蔵のRFIDタグに書き込まれたプロフィール情報が碁盤のRFIDリーダ／ライタによって読取られ、プレイヤー認証が行われ、先手として設定される。ここで初めてのプレイヤーの場合、本システムに互換の碁石であれば、碁石内蔵のRFIDタグに格納された登録要求コマンドが実行されて、RFIDタグに格納されたプロフィール情報が登録され、対局の先手プレイヤーとして設定される。
後手プレイヤーのログインも同様に、碁石が置かれることによって、行われる。
このとき、碁盤により先手プレイヤーのプロフィール情報と青色とが関連付けられ、後手プレイヤーのプロフィール情報は白色と関連付けられる。
【００２３】
先手計測ステップ１０００２において、ゲーム開始後又は後手の指し手後の時間経過が考慮時間として測定される。
指し手検知ステップ１０００３において、指し手が検知されない場合、先手の考慮時間の測定が続けられる。指し手が検知されると、システムの動作は、指し手位置読取ステップ１０００４に移る。
指し手読取ステップ１０００４において、指し手の位置が検知したRFIDリーダ／ライタ２００５に対応する目の座標として読み取られ、LEDがプロフィール情報に関連付けられた色で点灯し、記憶装置２００８に先手プレイヤーの指し手として（着手番号、プレイヤー識別子、座標）の形式で記録される。ここで、着手番号は、この対局における着手の順番を示す通し番号である。
【００２４】
対局終了判断ステップ１０００５において、プレイヤー等による入出力装置１０１１の所定の操作による対局終局指示入力の有無により、終局かどうかの判断が、システムによって行われる。ここで碁盤は、対局終局指示入力があると、記憶装置２００８に設けられた終了フラグがオンとなるように設けられている。このフラグのオン／オフが参照され、オンのとき終局と、システムによって、判断される。
ここで終局と判断されれば、対局は終了となり、システムの動作は、棋譜生成ステップ１０００６に移り、ここまでの指し手が棋譜データとして、記憶装置２００８に記録される。終局でないと判断されると、システムの動作は、後手計測ステップ１０００７に移る。
【００２５】
後手計測ステップ１０００７において、先手の指し手後の時間経過が考慮時間として測定される。
指し手検知ステップ１０００８において、指し手が検知されない場合、後手の考慮時間の測定が続けられる。指し手が検知されると、システムの動作は、指し手位置読取ステップ１０００９に移る。
指し手読取ステップ１０００９において、指し手の位置が検知したRFIDリーダ／ライタ２００５に対応する目の座標として読み取られ、LEDがプロフィール情報に関連付けられた色で点灯し、記憶装置２００８に後手プレイヤーの指し手として（着手番号、プレイヤー識別子、座標）の形式で記録される。
【００２６】
対局終了判断ステップ１００１０において、プレイヤー等による入出力装置１０１１の所定の操作により、対局終局指示入力がされているか、どうかの判断が、ステップ１０００５と同様に、システムによって行われる。
ここで終局と判断されれば、対局は終了となり、システムの動作は、棋譜生成ステップ１０１１に移り、ここまでの指し手が棋譜データとして、記憶装置２００８に記録される。終局でないと判断されると、システムの動作は、先手計測ステップ１０００２に戻る。
【００２７】
（オンラインプレイヤーとリアルプレイヤーとの対局）
図１１は、オンライン対局モード９００３におけるシステムの動作を示したフローチャートである。
リアルプレイヤーログインステップ１１００１において、リアルプレイヤーによって、碁石が目に置かれる。碁石内蔵のRFIDタグに書き込まれたプロフィール情報が碁盤のRFIDリーダ／ライタによって読取られ、プレイヤー認証が行われ、リアルプレイヤーとして設定される。ここで初めてのプレイヤーの場合、本システムに互換の碁石であれば、碁石内蔵のRFIDタグに格納された登録要求コマンドが実行されて、RFIDタグに格納されたプロフィール情報が登録され、対局のリアルプレイヤーとして認証される。
オンラインプレイヤーログインステップ１１００２において、オンラインプレイヤーは、当該碁盤に通信接続し、プロフィール情報を送信する。この碁盤に受信されたプロフィール情報は、プレイヤー認証が行われ、オンラインプレイヤーとして設定される。ここで初めてのプレイヤーの場合、オンラインプレイヤーの通信端末により登録要求コマンドを送信し、実行されて、プロフィール情報が登録され、対局のオンラインプレイヤーとして認証される。
【００２８】
次に、先手後手設定ステップ１１００３において、予め設定した碁盤の動作により、先手／後手の設定が行われる。ここでは、プロフィール情報における協会ランクが低いものが、先手となるように設定が実行される。このとき、碁盤により先手プレイヤーのプロフィール情報と青色とが関連付けられ、後手プレイヤーのプロフィール情報は白色と関連付けられる。
本発明の先手後手の設定は、ここで示した先手後手の設定に限定されるものではなく、プレイヤーによる入力で行うなど適宜変更されうる。
【００２９】
先手がリアルプレイヤーで設定されると、システムの動作は、先手リアルプレイヤーで開始ステップ１１００４に移り、ゲームが開始される。
先手計測ステップ１１００５において、ゲーム開始後又は後手の指し手後の時間経過が考慮時間として測定される。
指し手検知ステップ１１００６において、指し手が検知されない場合、先手の考慮時間の測定が続けられる。指し手が検知されると、システムの動作は、指し手位置読取ステップ１１００７に移る。
指し手読取ステップ１１００７において、指し手の位置が検知したRFIDリーダ／ライタ２００５に対応する目の座標として読み取られ、LEDがプロフィール情報に関連付けられた色で点灯し、記憶装置２００８に先手プレイヤーの指し手として（着手番号、プレイヤー識別子、座標）の形式で記録される。ここで、着手番号は、この対局における着手の順番を示す通し番号である。
【００３０】
対局終了判断ステップ１１００８において、リアルプレイヤーによる入出力装置１０１１の所定の操作又はオンラインプレイヤーからの終局指示情報の送信により、対局終局指示入力がされているか、どうかの判断が、碁盤によって、行われる。
ここで碁盤は、対局終局指示入力があると、記憶装置２００８に設けられた終了フラグがオンとなるように設けられている。このフラグのオン／オフを参照され、オンのとき終局と、システムによって、判断される。
ここで終局と判断されれば、対局は終了となり、システムの動作は、棋譜生成ステップ１１００９に移り、ここまでの指し手が棋譜データとして、記憶装置２００８に記録される。終局でないと判断されると、システムの動作は、後手計測ステップ１１０１０に移る。対局終局指示入力があると、記憶装置２００８に設けられた終了フラグがオンとなるように設けられており、このフラグのオン／オフを参照することにより、判断が実行される。
【００３１】
後手計測ステップ１１０１０において、先手の指し手後の時間経過が考慮時間として測定される。
指し手検知ステップ１１０１１において、オンラインプレイヤーからの指し手の送信が検知されない場合、後手の考慮時間の測定が続けられる。指し手が検知されると、システムの動作は、指し手受信ステップ１１０１２に移る。
指し手受信ステップ１１０１２において、オンラインプレイヤーが送信した指し手情報の座標が読み取られ、LEDがオンラインプレイヤーのプロフィール情報に関連付けられた色で点灯し、記憶装置２００８に後手プレイヤーの指し手として（着手番号、プレイヤー識別子、座標）の形式で記録される。
【００３２】
対局終了判断ステップ１１０１３において、プレイヤー等による入出力装置１０１１の所定の操作により、対局終局指示入力がされているか、どうかの判断が、ステップ１１００８と同様に、システムによって行われる。
ここで終局と判断されれば、対局は終了となり、システムの動作は、棋譜生成ステップ１１０１４に移り、ここまでの指し手が棋譜データとして、記憶装置２００８に記録される。終局でないと判断されると、システムの動作は、先手計測ステップ１１００５に戻る。
【００３３】
先手がオンラインプレイヤーで設定されると、システムの動作は、先手オンラインプレイヤーで開始ステップ１１０１５に移り、ゲームが開始される。
先手計測ステップ１１０１６において、ゲーム開始後又は後手の指し手後の時間経過が考慮時間として測定される。
指し手検知ステップ１１０１７において、オンラインプレイヤーからの指し手の送信が検知されない場合、後手の考慮時間の測定が続けられる。指し手が検知されると、システムの動作は、指し手受信ステップ１１０１８に移る。
指し手受信ステップ１１０１８において、オンラインプレイヤーが送信した指し手情報の座標が読み取られ、LEDがオンラインプレイヤーのプロフィール情報に関連付けられた色で点灯し、記憶装置２００８に後手プレイヤーの指し手として（着手番号、プレイヤー識別子、座標）の形式で記録される。
【００３４】
対局終了判断ステップ１１０１９において、対局終局指示入力がされているか、どうかの判断が、ステップ１１００８と同様に、碁盤によって行われる。
ここで終局と判断されれば、対局は終了となり、システムの動作は、棋譜生成ステップ１１０２０に移り、ここまでの指し手が棋譜データとして、記憶装置２００８に記録される。終局でないと判断されると、システムの動作は、後手計測ステップ１１０２１に移る。
【００３５】
後手計測ステップ１１０２１において、後手の指し手後の時間経過が考慮時間として測定される。
指し手検知ステップ１１０２２において、リアルプレイヤーの指し手が検知されない場合、後手の考慮時間の測定が続けられる。指し手が検知されると、システムの動作は、指し手位置読取ステップ１１０２３に移る。
指し手読取ステップ１１０２３において、指し手の位置が検知したRFIDリーダ／ライタ２００５に対応する目の座標として読み取られ、LEDがプロフィール情報に関連付けられた色で点灯し、記憶装置２００８に先手プレイヤーの指し手として（着手番号、プレイヤー識別子、座標）の形式で記録される。
【００３６】
対局終了判断ステップ１１０２４において、対局終局指示入力がされているか、どうかの判断が、ステップ１１００８と同様に、碁盤によって行われる。
ここで終局と判断されれば、対局は終了となり、システムの動作は、棋譜生成ステップ１１０２５に移り、ここまでの指し手が棋譜データとして、記憶装置２００８に記録される。終局でないと判断されると、システムの動作は、先手計測ステップ１１０１６に戻る。
【００３７】
図１２は、棋譜再生モード９００４におけるシステムの動作を示したフローチャートである。
棋譜データ選択ステップ１２００１において、プレイヤー等による予め設定した棋譜選択操作の入力を受けて、棋譜データが選択的される。
表示指示ステップ１２００２において、入出力装置２００９に対して、プレイヤー等によって、先手表示に関連付けた所定操作が行われる。
先手表示ステップ１２００３において、未表示の指し手における最先手の座標のLEDが先手プレイヤーに関連付けた点灯がされる。
指し手検索ステップ１２００４において、未表示の指し手記録における最先手の検索が選択された棋譜データに対して行われ、未表示の指し手記録が無ければ、棋譜再現の終了となる。未表示の指し手記録における最先手が有れば、システムの動作は、表示指示ステップ１２００５に移る。
【００３８】
表示指示ステップ１２００５において、入出力装置２００９に対して、プレイヤー等によって、後手表示に関連付けた所定操作が行われる。
後手表示ステップ１２００６において、未表示の指し手における最先手の座標のLEDが後手プレイヤーに関連付けた点灯がされる。
指し手検索ステップ１２００７において、未表示の指し手記録における最先手の検索が選択された棋譜データに対して行われ、未表示の指し手記録が無ければ、棋譜再現の終了となる。未表示の指し手記録における最先の手が有れば、システムの動作は、表示指示ステップ１２００２に移る。
【００３９】
このようにプレイヤー等によって、棋譜を碁盤上に時系列的に再現することにより、生成された棋譜を実際のゲームに近い形で再現することができる。
【産業上の利用可能性】
【００４０】
本発明は、囲碁教室から家庭用ゲーム、さらにはコンピュータ、携帯端末によるゲームまで利用可能である。これにより、ゲーム機業界から携帯端末業界まで幅広い産業に貢献できる可能性がある。
【符号の説明】
【００４１】
１００１  碁盤
１００２  リアルプレイヤー
１００４  ネットワーク
１００５  オンラインプレイヤー
１００６  通信端末
１００７  碁石
１００９  入出力装置
【要約】
【課題】
伝統的な碁の道具を使用しながら、ゲーム進行を電子的に認識して、記録、再現の支援ができるシステムを提供することである。
【解決手段】
プロフィール情報を色情報に関連付けて登録をする登録手段と、RFIDリーダ/ライタがRFIDタグの検知をすると、プロフィール情報に関連付けられた色情報に従って、該検知に関わる目の発光ダイオードの発光を制御する指し手表示手段と、指し手確定済みの碁石に係るRFIDタグの検知の消失もしくは新たな検知を無効とし、発光を維持する表示維持手段と、未着手の目に関わる発光ダイオードを所定の色での発光を制御する未着手表示手段と、指し手の記録をする記録手段と、記録を基に棋譜を生成する生成手段と、オンラインプレイヤーの指し手入力を受信し、該指し手入力に係る目の発光ダイオードに対して、該プレイヤーに関連付けした色での発光をするように制御する代理表示手段と、を備えるシステムを提供する。
【選択図】図１【図１】
0005705392.tif 000002
【図２】
0005705392.tif 000003
【図３】
0005705392.tif 000004
【図４】
0005705392.tif 000005
【図５】
0005705392.tif 000006
【図６】
0005705392.tif 000007
【図７】
0005705392.tif 000008
【図８】
0005705392.tif 000009
【図９】
0005705392.tif 000010
【図１０】
0005705392.tif 000011
【図１１】
0005705392.tif 000012
【図１２】
0005705392.tif 000013